(57)【要約】【課題】目視で観察することが難しい微細なひび割れについても、特別な機材を用いることなく簡易な方法により検査を行うと共に、検査結果を設置現場で即時に目視で検出することを可能とする。【解決手段】コンクリート構造物の表面から不揮発性の低粘度液からなる診断薬をコンクリート構造体の内部に注入する注入工程と、診断薬の注入箇所を円柱状にくり抜きコンクリートコアを採取する採取工程と、コンクリートコアをくり抜いた跡であるコンクリート構造物の採取孔の壁面を乾燥させ、診断薬が濡れ色を生じて目視可能となった採取孔内のひび割れを観察する孔内観察工程と、コンクリートコアを所定の間隔で輪切り状に切断したコンクリート断片を乾燥させ、診断薬が濡れ色を生じて目視可能となったコンクリート断片のひび割れを観察する断片観察工程と、を有する。【選択図】図５
2015049152.tif 000002
【特許請求の範囲】
【請求項１】
コンクリート構造物の表面から不揮発性の低粘度液からなる診断薬を前記コンクリート構造体の内部に注入する注入工程と、
前記診断薬の注入箇所を円柱状にくり抜きコンクリートコアを採取する採取工程と、
前記コンクリートコアをくり抜いた跡である前記コンクリート構造物の採取孔の壁面を乾燥させ、前記診断薬が濡れ色を生じて目視可能となった前記採取孔内のひび割れを観察する孔内観察工程と、
を有することを特徴とするコンクリート構造物のひび割れ検査方法。
【請求項２】
コンクリート構造物の表面から不揮発性の低粘度液からなる診断薬を前記コンクリート構造体の内部に注入する注入工程と、
前記診断薬の注入箇所を円柱状にくり抜きコンクリートコアを採取する採取工程と、
前記コンクリートコアを所定の間隔で輪切り状に切断したコンクリート断片を乾燥させ、前記診断薬が濡れ色を生じて目視可能となった前記コンクリート断片のひび割れを観察する断片観察工程と、
を有することを特徴とするコンクリート構造物のひび割れ検査方法。
【請求項３】
コンクリート構造物の表面から不揮発性の低粘度液からなる診断薬を前記コンクリート構造体の内部に注入する注入工程と、
前記診断薬の注入箇所を円柱状にくり抜きコンクリートコアを採取する採取工程と、
前記コンクリートコアをくり抜いた跡である前記コンクリート構造物の採取孔の壁面を乾燥させ、前記診断薬が濡れ色を生じて目視可能となった前記採取孔内のひび割れを観察する孔内観察工程と、
前記コンクリートコアを所定の間隔で輪切り状に切断したコンクリート断片を乾燥させ、前記診断薬が濡れ色を生じて目視可能となった前記コンクリート断片のひび割れを観察する断片観察工程と、
を有することを特徴とするコンクリート構造物のひび割れ検査方法。
【請求項４】
前記注入工程において注入される前記診断薬は、水に不溶性であって、常温において不揮発性であり流動性を有する液体である、シランモノマー、シランオリゴマー、シリコーンオイル、鉱物油、植物油、動物油から選ばれることを特徴とする請求項１乃至３の何れか１項記載のコンクリート構造物のひび割れ検査方法。
【請求項５】
前記注入工程において、前記診断薬の注入に低圧注入器具を用いることを特徴とする請求項１乃至４の何れか１項記載のコンクリート構造物のひび割れ検査方法。
【発明の詳細な説明】
【技術分野】
【０００１】
本発明は、コンクリート構造物のひび割れ検査方法に関するものである。
【背景技術】
【０００２】
コンクリート構造物には、寒暖の変化による凍害や、雨水、地震等の影響により、大小様々なひび割れが発生する。こうしたひび割れが発生することで、直接的にコンクリート構造物の強度の低下を招くとともに、ひび割れから雨水等が浸透し、コンクリート構造物内部の鉄筋を錆びさせることで、更なる強度低下を招いてしまう。
【０００３】
そのため、こうしたひび割れを検査し的確に把握するとともに、発見されたひび割れの補修を行うことは極めて重要なことである。
【０００４】
従来から行われているコンクリート構造物のひび割れ検査方法として、例えば特許文献１に記載されているように、施工時に予めコンクリート構造物の複数の箇所において検査孔部装置と、検査孔部装置及びコンクリート構造物表面を結ぶ連結管とを設置し、検査時にＣＣＤカメラを検査孔部装置に挿入することでコンクリート構造物の内部表面を観察する方法がある。
【０００５】
また、他の検査方法として、特許文献２に記載されているように、炭酸セシウム水溶液をエポキシ樹脂等に混入した補修材をコンクリート構造体のひび割れに注入し、注入後に当該ひび割れ部分のＸ線造影撮影をすることによりひび割れ内部の状態を検出する方法がある。
【先行技術文献】
【特許文献】
【０００６】
【特許文献１】特開２００６−７１３９４号公報
【特許文献２】特開平７−１３９１９０号公報
【発明の概要】
【発明が解決しようとする課題】
【０００７】
上述した特許文献１に記載の方法では、目視できる程度の空隙やひび割れは観察することができるものの、目視で観察することが難しい微細なひび割れを観察することは難しい。
【０００８】
また、特許文献２に記載の方法では、補修材を注入可能なひび割れは、注入箇所から連続しているひび割れのみであり、それ以外の、注入箇所と不連続なひび割れには補修材が注入されないため、こうした不連続なひび割れの検出は難しい。また、この方法では、Ｘ線造影撮影装置という特別な機材を要するため、汎用性に欠けるものであった。
【０００９】
また、上述した方法以外の方法として、コンクリート構造物が設置されている現場でコンクリート構造物から検査用のサンプルをくり抜き、くり抜かれたコンクリート片を研究機関等においてＳＥＭ（Scanning Electron Microscope）等を用いて観察することで、ひび割れの検査が行われていた。しかし、この方法では設置現場で検査を行うことができず、サンプルを研究機関等に送付して検査を行わなければならず、検査終了までに多くの日数が必要であった。
【００１０】
また、微細なひび割れの観察方法として、顕微鏡観察を行う方法や、蛍光エポキシ樹脂含浸法もある。しかし、顕微鏡観察を行う方法では測定精度を上げるために拡大倍率を上げる必要があり、観察域が局部的となる欠点がある。また、蛍光エポキシ樹脂含浸法においても顕微鏡観察を行うが、観察は暗室内において振動のない状態で行わなければならず、コンクリート構造物の設置現場における検査には不向きであった。
【００１１】
そこで、本発明は上述した問題点に鑑みて案出されたものであり、目視で観察することが難しい微細なひび割れについても、特別な機材を用いることなく簡易な方法により検査を行うと共に、検査結果を設置現場で即時に目視で検出することのできるコンクリート構造物のひび割れ検査方法を提供することを目的とする。
【課題を解決するための手段】
【００１２】
本発明者は、上述した課題を解決するために、目視で観察することが難しい微細なひび割れについても、特別な機材を用いることなく簡易な方法により検査を行うと共に、検査結果を設置現場で即時に目視で検出することのできるコンクリート構造物のひび割れ検査方法を発明した。
【００１３】
第１発明に係るコンクリート構造物のひび割れ検査方法は、コンクリート構造物の表面から不揮発性の低粘度液からなる診断薬を前記コンクリート構造体の内部に注入する注入工程と、前記診断薬の注入箇所を円柱状にくり抜きコンクリートコアを採取する採取工程と、前記コンクリートコアをくり抜いた跡である前記コンクリート構造物の採取孔の壁面を乾燥させ、前記診断薬が濡れ色を生じて目視可能となった前記採取孔内のひび割れを観察する孔内観察工程と、を有することを特徴とする。
【００１４】
第２発明に係るコンクリート構造物のひび割れ検査方法は、コンクリート構造物の表面から不揮発性の低粘度液からなる診断薬を前記コンクリート構造体の内部に注入する注入工程と、前記診断薬の注入箇所を円柱状にくり抜きコンクリートコアを採取する採取工程と、前記コンクリートコアを所定の間隔で輪切り状に切断したコンクリート断片を乾燥させ、前記診断薬が濡れ色を生じて目視可能となった前記コンクリート断片のひび割れを観察する断片観察工程と、を有することを特徴とする。
【００１５】
第３発明に係るコンクリート構造物のひび割れ検査方法は、コンクリート構造物の表面から不揮発性の低粘度液からなる診断薬を前記コンクリート構造体の内部に注入する注入工程と、前記診断薬の注入箇所を円柱状にくり抜きコンクリートコアを採取する採取工程と、前記コンクリートコアをくり抜いた跡である前記コンクリート構造物の採取孔の壁面を乾燥させ、前記診断薬が濡れ色を生じて目視可能となった前記採取孔内のひび割れを観察する孔内観察工程と、前記コンクリートコアを所定の間隔で輪切り状に切断したコンクリート断片を乾燥させ、前記診断薬が濡れ色を生じて目視可能となった前記コンクリート断片のひび割れを観察する断片観察工程と、を有することを特徴とする。
【００１６】
第４発明に係るコンクリート構造物のひび割れ検査方法は、第１乃至第３発明の何れかにおいて、前記注入工程において注入される前記診断薬は、水に不溶性であって、常温において不揮発性であり流動性を有する液体である、シランモノマー、シランオリゴマー、シリコーンオイル、鉱物油、植物油、動物油から選ばれることを特徴とする。
【００１７】
第５発明に係るコンクリート構造物のひび割れ検査方法は、第１乃至第４発明の何れかにおいて、前記注入工程において、前記診断薬の注入に低圧注入器具を用いることを特徴とする。
【発明の効果】
【００１８】
上述した構成からなる本発明によれば、目視で観察することが難しい微細なひび割れについても、特別な機材を用いることなく簡易な方法により検査を行うと共に、検査結果を設置現場で即時に目視で検出することが可能となる。
【図面の簡単な説明】
【００１９】
【図１】本実施形態に係るコンクリート構造物のひび割れ検査方法による検査対象としてのコンクリート構造物を示す斜視図である。
【図２】コンクリート構造物に低圧注入器具が取り付けられた状態を示す斜視図である。
【図３】低圧注入器具の各構成を示し、（Ａ）は取り付けパイプの平面図、（Ｂ）は取り付けパイプの側面図、（Ｃ）はチューブを示す側面図である。
【図４】低圧注入器具により診断薬が注入された後のコンクリート構造物を示す斜視図である。
【図５】診断薬注入後のコンクリート構造物から採取されたコンクリートコアを示す斜視図である。
【発明を実施するための形態】
【００２０】
以下、本発明の実施形態に係るコンクリート構造物のひび割れ検査方法について詳細に説明する。
【００２１】
図１は、本実施形態に係るコンクリート構造物のひび割れ検査方法による検査対象としてのコンクリート構造物１を示す斜視図である。
【００２２】
コンクリート構造物１は、本実施形態においては鉄筋コンクリート製の壁であるが、本発明はこうしたコンクリート構造物１に限らず、鉄筋コンクリートの床や橋脚等にも適用することができる。
【００２３】
コンクリート構造物１の表面には目視で確認することのできるひび割れ２が存在している。本実施形態に係るコンクリート構造物のひび割れ検査方法を適用すると、こうした目視で確認可能なひび割れのみならず、通常は目視で確認することのできない微細なひび割れについても、目視で確認することができるようになる。
【００２４】
本実施形態に係るコンクリート構造物のひび割れ検査方法では、まず、検査が行われる範囲である検査範囲３が決定される。本実施形態では、ひび割れ２の周囲が検査範囲３となっている。
【００２５】
次に、決定された検査範囲３に診断薬が注入される。図２は、コンクリート構造物１に低圧注入器具４が取り付けられた状態を示す斜視図である。
【００２６】
低圧注入器具４は、コンクリート構造物１の検査範囲３に取り付けられ、内部に封入されている診断薬をコンクリート構造物１のひび割れ２に注入するための器具である。診断薬を低速・低圧で注入することにより、診断薬をひび割れ２の奥までムラ無く注入することができる。
【００２７】
図３は、低圧注入器具４の各構成を示し、（Ａ）は取り付けパイプ４１の平面図、（Ｂ）は取り付けパイプ４１の側面図、（Ｃ）はチューブ４２を示す側面図である。低圧注入器具４は、コンクリート構造物１に接着剤等を用いて取り付けられる取り付けパイプ４１と、取り付けパイプ４１に接続され内部に診断薬を封入するチューブ４２とにより構成されている。
【００２８】
取り付けパイプ４１は、座金４１２と、座金４１２から突出する接続部４１３を備えて構成されていて、コンクリート構造物１の検査範囲３に接着剤を用いて取り付けられる。
【００２９】
座金４１２は、平面視が角丸正方形の板状の部材であり、座金４１２の平面視における四隅近傍には孔部４１１が設けられている。
【００３０】
この孔部４１１は、取り付けパイプ４１の取り付けの際にどの程度の押圧を行ってよいかを示す目安となる。すなわち、取り付けパイプ４１はコンクリート構造物１に塗布された接着剤に押し付けられて接着されが、この押し付けは、座金４１２の四隅の孔部４１１から座金４１２の上面に接着剤が出てくる程度を目安として行われる。
【００３１】
接続部４１３は、座金４１２の中央部分において座金４１２の上面から垂直方向に突出し、先端がテーパ状になっている円柱状の中空の管であり、側部に係止凸部４１４が形成されている。接続部４１３の内部空間は、接続部４１３の先端部分から基端部を経て座金４１２の略中央部分までを貫通して設けられていて、チューブ４２からコンクリート構造物１へ診断薬を注入する際の注入経路となる。
【００３２】
チューブ４２は、チューブ本体４２１と、チューブ本体４２１の一端側（図３（Ｃ）における左端側）に設けられた第１接続端子４２２及び他端側（図３（Ｃ）における右端側）に設けられた第２接続端子４２５とを備えて構成されている。
【００３３】
チューブ本体４２１は、弾性変形するゴム製の管状部材であり、内部に診断薬を封入可能となっている。チューブ本体４２１内部に診断薬が封入される際には、このチューブ本体４２１が膨らむ程度の量が注入される。そして、チューブ本体４２１に封入された診断薬は、チューブ本体４２１がその弾性力により元の形状に戻ろうとする力を利用して、低圧、低速でコンクリート構造物１へと注入される。
【００３４】
第１接続端子４２２は、取り付けパイプ４１の接続部４１３が挿入され接続される部位であり、接続部４１３の外径よりも大きな内径を有する中空の筒状の構成である。
【００３５】
第１接続端子４２２には、図３の左端にある開口部からチューブ４２の軸心方向に沿い設けられた第１切欠溝４２３と、第１切欠溝４２３に連続し第１切欠溝４２３と異なる方向に設けられている第２切欠き溝４２４とが形成されている。
【００３６】
第１切欠溝４２３と第２切欠溝４２４の組は、第１接続端子４２の図３（Ｃ）の紙面手前側に示されている組の他、図には現れていないが奥側にも１組設けられている。また、それぞれの組は、チューブ４２の軸心に対して１８０度の回転対称となる位置に設けられている。
【００３７】
第２接続端子４２５は、第１接続端子４２１と同じ構成を備えている。すなわち、第２接続端子４２５には、図３の右端にある開口部からチューブ４２の長手方向に沿い設けられた第１切欠溝４２６と、第１切欠溝４２６に連続し第１切欠溝４２６と異なる方向に設けられている第２切欠き溝４２７とが形成されている。
【００３８】
この第２接続端子４２５には、低圧注入器具４に診断薬を供給する注入器（不図示）の、取り付けパイプ４１の接続部４１３と同様の構成を有する接続部が接続され、低圧注入器具４への診断薬の供給が行われる。
【００３９】
なお、第１接続端子４２２及び第２接続端子４２５の内部には、図示しない弁が設けられている。この弁は、取り付けパイプ４１の接続部４１３や、これと同様の構成を有する他の接続部が接続されたときにのみ開放され、診断薬が第１接続端子４２２及び第２接続端子４２５を通過可能となる。
【００４０】
上述した低圧注入器具４によりコンクリート構造体１に注入される診断薬は、水に不溶性であって、常温において不揮発性であり流動性を有する液体であり、具体的には、シランモノマー、シランオリゴマー、シリコーンオイル、鉱物油、植物油、動物油等から選ばれる。こうした診断薬はひび割れへの浸潤性に優れていて、ひび割れに浸潤した際にはひび割れ周囲が濡れ色となるため、微細なひび割れも強調され、目視で確認することが可能となる。
【００４１】
次に、上述した低圧注入器具４及び診断薬を用いたコンクリート構造物のひび割れ検査方法について具体的に説明する。
【００４２】
まず、図１に示すように、コンクリート構造物１にひび割れ２がある場合には、そのひび割れ２周辺を検査範囲３とする。
【００４３】
そして、図２に示すように、座金４１２が、ひび割れ３に座金４１２の中央部分に設けられた図示しない孔が重なるようにして、接着剤を用いて取り付けられる。こうして取り付けパイプ４１がコンクリート構造物１の検査範囲３に取り付けられる。
【００４４】
なお、座金４１２の取り付け前には、予めコンクリート構造物１の表面に対して予めディスクサンダーやブラシ等を用いてレイタンスや塵埃の除去作業を行っておくことが好ましい。また、コンクリート構造物１の表面に油脂分が付着しているときは、シンナーを含んだウエスでふき取りこれを除去しておくことが好ましい。
【００４５】
また、コンクリート構造物１の表面であって、ひび割れの見られない箇所を検査範囲とする場合には、ドリルを用いて削孔した後、その削孔箇所に座金４１２の中央の孔が重なるようにして、座金４１２が取り付けられる。
【００４６】
次に、取り付けパイプ４１に取り付けられる前のチューブ４２の内部に、診断薬が充填される。診断薬はチューブ４２のチューブ本体４２１が膨らむ程度に充填される。こうすることで、チューブ本体４２１が縮む力が診断薬に作用し、診断薬をコンクリート構造物１に低速、低圧で注入することができるようになる。
【００４７】
次に、診断薬が充填されたチューブ４２と取り付けパイプ４１との接続が行われる。チューブ４２と取り付けパイプ４１とが接続される際には、まず、取り付けパイプ４１の接続部４１３がチューブ４２の第１接続端子４２２内部に挿入される。このとき、接続部４１３の先端部が先細のテーパ状になっているため、いわゆるガイド機能を発揮し、スムーズな挿入を行うことができる。
【００４８】
次に、取り付けパイプ４１の接続部４１３に設けられている係止凸部４１４が、チューブ４２の軸心方向に沿って、第１接続端子４２２の第１切欠溝４２３へと挿入される。そして、係止凸部４１４が第１切欠溝４２３の奥側まで挿入されると、次に、第１切欠溝４２３に連続する第２切欠溝４２４へと、チューブ４２が回転されながら挿入される。
【００４９】
係止凸部４１４が第２切欠溝４２４の最奥部まで挿入された状態においては、係止凸部４１４は、チューブ４２の左端側に位置する第２切欠溝４２４の内壁面に当接することで、チューブ４２が取り付けパイプ４１から脱落しないようになっている。
【００５０】
なお、上述したチューブ４２への診断薬の充填は、取り付けパイプ４１の接続部４１３と同一形状を有する接続端子を有する充填器具が、上述した取り付けパイプ４１とチューブ４２の接続と同様に、第１接続端子４２２と同一の形状を有する第２接続端子４２５に接続されて行われる。
【００５１】
このときも、接続端子が係止凸部により第２切欠溝４２４内に係止することで、充填器具が第２接続端子４２５から脱落することがなく、診断薬をチューブ４２内に高圧で充填することができる。
【００５２】
次に、取り付けパイプ４１に診断薬が充填されたチューブ４２が取り付けられ、診断薬のコンクリート構造体１への注入が開始される。診断薬は、チューブ４２の第１接続端子４２２、取り付けパイプ４１の接続部４１３を経て、ひび割れ２へと注入される。このときの診断薬の注入は、内部に充填された診断薬により弾性変形したチューブ本体４２１が元に戻ろうとする力を利用して、低速、低圧で行われる。
【００５３】
次に、診断薬の注入開始から２４時間に低圧注入器具４が取り外される。図４は、低圧注入器具４により診断薬が注入された後のコンクリート構造物１を示す斜視図である。図４に示すように、診断薬注入後のコンクリート構造物１では、検査範囲３にあるひび割れ２の周囲に濡れ色５が広がることにより、ひび割れが強調される。
【００５４】
なお、診断薬による濡れ色５は、コンクリート構造物１のうち少なくとも検査範囲３が乾燥した状態でなければ見ることができない。これは、コンクリート構造物１が乾燥していない場合、水による濡れ色と診断薬による濡れ色５の区別がつかないためである。
【００５５】
そのため、以下の各工程においてひび割れを観察する際には、診断薬による濡れ色５が形成されている箇所の乾燥が行われる。
【００５６】
次に、検査範囲３の診断薬の注入箇所を円柱状にくり抜きコンクリートコア６が採取される。コンクリートコア６の採取はコンクリートコアドリルを用いて、掘削箇所に注水をしつつ行われる。図５は、診断薬注入後のコンクリート構造物１から採取されたコンクリートコア６を示す斜視図である。
【００５７】
図５に示す例では、コンクリートコア６に表れた診断薬による濡れ色５は、当初から目視で確認することのできたひび割れ２のみならず、その他の領域５１にも広がっている。この領域５１には、目視で確認することのできない微細なひび割れが存在していて、診断薬の濡れ色５が広がることでその存在を目視で確認することができるようになったものである。
【００５８】
なお、コアドリルの使用時には掘削箇所に水が注入されるが、診断薬は水に不溶性であり不揮発性であるため、この水により流出せず、ひび割れ２周辺に広がる濡れ色５が損なわれることがない。
【００５９】
こうして得られたコンクリートコア６は、所定の間隔で輪切り状に切断されるとともに、切断後の各コンクリート断片が乾燥される。これは、コアドリルの使用時に用いられる水を蒸発させ、診断薬による濡れ色５のみを精度良く観察できるようにするためである。
【００６０】
そして、観察者は、こうして目視で確認することができるようになったコンクリート断片のひび割れを観察する。このとき、濡れ色５は当初から目視確認することのできたひび割れ２の周辺のみならず、目視確認することのできなかったひび割れの周辺領域５１にも広がるため、こうしたひび割れの存在も目視で確認することが可能となる。
【００６１】
また、コンクリートコア６をくり抜いた跡であるコンクリート構造物１の採取孔の壁面についても乾燥が行われるとともに、診断薬が濡れ色を生じて目視可能となった採取孔内のひび割れの観察も行われる。
【００６２】
このように、本実施形態に係るコンクリート構造物のひび割れ検査方法によると、目視で観察することが難しい微細なひび割れについても、特別な機材を用いることなく簡易な方法により検査を行うと共に、検査結果を設置現場で即時に目視で検出することが可能となる。
【００６３】
なお、コンクリートコア６の採取後にコンクリート構造物１に残される採取孔については、発見されたひび割れとともに適宜補修されることが好ましい。このとき、補修に用いる接着剤等への影響を無くすため、本発明に用いられる診断薬は、好ましくはアルコキキシラン等、コンクリート中のアルカリ成分や水により硬化するものであることが好ましい。
【００６４】
また、採取孔の乾燥と観察は、コンクリート断片の乾燥と同時に行われてもよく、あるいはこれに先立ち行われてもよい。
【００６５】
採取孔の乾燥と観察をコンクリート断片の乾燥と同時、すなわちコンクリート断片の乾燥を待つ間の時間に行うことにより、作業の効率化を図ることが出来る。また、コンクリート断片の乾燥に先立ち採取孔の乾燥と観察を行うことで、採取孔の補修を迅速に開始することができる。
【００６６】
また、上述した実施形態においては低圧注入器具はゴム製のチューブ本体の弾性変形力を利用して診断薬の注入を行っていたが、本発明においてはこれに限らず、他の構成を備えた低圧注入器具を用いても良い。
【００６７】
例えば、低圧注入器具のチューブを、弾性変形しないプラスチック製のチューブ本体と、チューブ本体内外への診断薬の移動経路となる第１接続端子と、チューブ本体内部に挿通されたプランジャと、プランジャを第１接続端子方向に付勢するバネ部材とにより構成する。第１接続端子は上述した実施形態と同一のものであり、取り付けパイプ４１の接続部４１３と接続可能となっている。
【００６８】
この場合、チューブ本体内部への診断薬の充填は、診断薬がバネ部材による付勢力に抗しプランジャを移動させつつ充填されることで行われる。また、診断薬のコンクリート構造物への注入は、プランジャがバネ部材による付勢力により診断薬を押し出すことで行われる。
【００６９】
こうした低圧注入器具を用いた場合でも、診断薬をコンクリート構造物に低速、低圧で注入することができる。
【符号の説明】
【００７０】
１  コンクリート構造物
２  ひび割れ
３  検査範囲
４  低圧注入器具
５  濡れ色
６  コンクリートコア
４１  取り付けパイプ
４２  チューブ
５１  （その他の）領域
４１１  孔部
４１２  座金
４１３  接続部
４１４  係止凸部
４２１  チューブ本体
４２２  第１接続端子
４２３  第１切欠溝
４２４  第２切欠溝
４２５  第２接続端子
４２６  第１切欠溝
４２７  第２切欠溝
【図１】
2015049152.tif 000003
【図２】
2015049152.tif 000004
【図３】
2015049152.tif 000005
【図４】
2015049152.tif 000006
【図５】
2015049152.tif 000007